(57)【要約】【課題】温風暖房器を、その送風通路に拡大部を設け、この拡大部に電気ヒータを複数段で配置しても風路抵抗が増加するのを抑制することで、目標の風量を得るために送風ファンの回転数が増加することを防止して運転音が大きくなるのを防止できるようにする。【解決手段】送風通路３２に、入口開口３５１と出口開口３５２とを有する拡大部３５を形成し、この拡大部を、電気ヒータ３４を収納する収納部とし、電気ヒータを、前記入口開口に対向して複数段で配置し、拡大部の入口開口から各電気ヒータまでの距離のうち、入口開口での風速が速い位置に対応する電気ヒータまでの距離を遠ざける。【選択図】  図２
2004177075.tif 000002
【特許請求の範囲】
【請求項１】
吸気口から吹出口に通じる送風通路を備え、この送風通路に送風ファンと電気ヒータとを配置し、送風ファンを作動させて吸気口から送風通路内に空気を吸引し、この空気を電気ヒータで加熱して温風とし、この温風を吹出口から室内に吹出す温風暖房器において、
前記送風通路に、入口開口と出口開口とを有する拡大部を形成し、この拡大部を、電気ヒータを収納する収納部とし、電気ヒータを、前記入口開口に対向して複数段で配置し、拡大部の入口開口から各電気ヒータまでの距離のうち、入口開口での風速が速い位置に対応する電気ヒータまでの距離を遠ざけたことを特徴とする温風暖房器。
【請求項２】
前記送風通路に、その途中で屈曲させた屈曲部を形成し、この屈曲部に送風ファンを構成する回転羽根を配置すると共に、前記距離を、屈曲部の外側に向うに従い長くなるようにしたことを特徴とする請求項１記載の温風暖房器。
【発明の詳細な説明】
【０００１】
【発明の属する技術分野】
本発明は、送風通路の上流側に送風ファンと、下流側に電気ヒータとを内蔵した温風暖房器に関する。
【０００２】
【従来の技術】
従来の温風暖房器は、吹出口と吸気口とを設けた筐体を有し、この筐体内には、吸気口から吹出口に通じる送風通路が形成されている。この送風通路には、上流側に送風ファンと、下流側に長尺のシーズヒータなどから構成される電気ヒータとがそれぞれ設けられている。この場合、電気ヒータは、送風通路を流れる空気を横切るように配設されている。そして、送風ファンを作動させると、吸気口から送風通路内に空気が吸引され、この空気が電気ヒータで加熱されて所定温度の温風になり、吹出口から室内に吹出される（特許文献１）。
【０００３】
【特許文献１】
特開平１０−１３２３８５号公報（例えば、図１参照）
【０００４】
このものでは、送風ファンの下流側から吹出口に通じる送風通路の風路面積をその全長に亘って一定に形成し、その途中に電気ヒータを設けているので、この電気ヒータによって送風通路内での風路抵抗（送風通路内の空気の流れに対する抵抗）が大きくなるという不具合があった。このため、送風通路に拡大部を形成し、この拡大部を、電気ヒータを収納する収納部とすることが提案される。この場合、電気ヒータによってこの拡大部を通過する空気を均等に加熱するため、拡大部の入口開口に対向して複数段で電気ヒータを配置することが考えられる。
【０００５】
【発明が解決しようとする課題】
ところで、上記のものように、送風通路に屈曲部を形成し、この屈曲部に送風ファンを配置すると、屈曲部外側を流れる空気の風速がこの屈曲部内側を流れる空気の風速より速くなるので、屈曲部と電気ヒータとの間の送風通路内での風速分布が一定にならない。このため、拡大部の入口開口に沿って複数段で電気ヒータを配置したのでは、風速の速い屈曲部外側に位置する電気ヒータに局所的に多量の空気が衝突して送風通路の風路抵抗が増加する。この場合、吹出口から吹出される温風の十分な風量を得るには、回転羽根の回転数を上げる必要があり、運転音が大きくなるという不具合が生じる。
【０００６】
そこで、本発明は、上記点に鑑み、送風通路に拡大部を設け、この拡大部に電気ヒータを複数段で配置しても風路抵抗が増加するのを抑制することで、目標の風量を得るために送風ファンの回転数が増加することを防止して運転音が大きくなるのを防止できる温風暖房器を提供することを課題とするものである。
【０００７】
【課題を解決するための手段】
上記課題を解決するため、本発明の温風暖房器は、吸気口から吹出口に通じる送風通路を備え、この送風通路に送風ファンと電気ヒータとを配置し、送風ファンを作動させて吸気口から送風通路内に空気を吸引し、この空気を電気ヒータで加熱して温風とし、この温風を吹出口から室内に吹出す温風暖房器において、前記送風通路に、入口開口と出口開口とを有する拡大部を形成し、この拡大部を、電気ヒータを収納する収納部とし、電気ヒータを、前記入口開口に対向して複数段で配置し、拡大部の入口開口から各電気ヒータまでの距離のうち、入口開口での風速が速い位置に対応する電気ヒータまでの距離を遠ざけたことを特徴とする。
【０００８】
本発明によれば、送風ファンを駆動すると、送風通路内に室内の空気が吸い込まれ、拡大部へと流れる。拡大部に空気が到達すると、空気の流れが拡がることで風速は低下する。ここで、拡大部の入口開口での風速分布が一定でない場合、拡大部の入口開口から各電気ヒータまでの距離のうち、入口開口での風速が速い位置に対応する電気ヒータまでの距離を遠ざけておけば、電気ヒータに衝突する際の風速を各電気ヒータの位置で均一に近づけることができる。これにより、いずれかの電気ヒータに局所的に多量の空気が衝突するのが防止されることで送風通路の風路抵抗が増加するのを防止できる。
【０００９】
ところで、器具自体の高さ寸法を小さくするためには、前記送風通路に、その途中で屈曲させた屈曲部を形成し、この屈曲部に送風ファンを構成する回転羽根を配置するのがよい。この場合、屈曲部外側に向かうに従い風速が速くなるので、拡大部の入口開口から各電気ヒータまでの距離を、屈曲部の外側に向うに従い長くなるようにすればよい。
【００１０】
【発明の実施の形態】
図１及び図２を参照して、１は、本発明のハイブリット式温風暖房器である。この温風暖房器１は箱状の筐体１１を有する。筐体１１内には、上側にガスヒータ部２が、下側に電気ヒータ部３が内蔵されている。筐体１１の前面に、第１吹出口１２ａ及び第２吹出口１２ｂが、筐体１１の後面に第１吸気口１３ａ及び第２吸気口１３ｂが、ガスヒータ部２及び電気ヒータ３に対応させて形成され、後述するように２個の送風ファンを使用してガスヒータ部２と電気ヒータ部３との送風系を相互に独立のものとしている。
【００１１】
ガスヒータ部２は、ガスバーナ２０と、ガスバーナ２０の下方に配置され、ガスバーナ２０に燃焼用空気を供給すると共に燃焼ガスと第１吸気口１３ａから筐体１１に吸込まれた空気とを混合して室内に吹出す第１送風ファン２１とから構成されている。ガスバーナ２０は、筐体１１内に配置した比例弁（図示せず）に接続されたガス管の先端に装着されたガス噴出ノズル（図示せず）が臨む燃料／空気の吸入口２０１と、この吸入口２０１に連通する混合管部２０２とを形成したバーナ本体２０ａを有する。バーナ本体２０ａの開口した上面には、分布板（図示せず）を介して複数の炎口が列設されたセラミック製炎口板２０３が装着され、ガスバーナ２０は燃焼筐２０４に収納されている。
【００１２】
筐体１１内には、燃焼筐２０４の上方を囲うように、第１送風ファン２１の作動により第１吸気口１３ａから筐体１１内に吸込まれた空気と燃焼筐２０４から排出される燃焼ガスとを所定の距離だけ流れるまで区画する分流板４１が設けられている。また、筐体１１内には、分流板４１を含む燃焼筐２０４を覆うと共に分流板４１との間で第１送風ファン２１に通じる空気通路４２が形成されるように隔壁４３が設けられている。バーナ本体２０ａの下側に位置する第１送風ファン２１は、第１吹出口１２ａに通じる送風ダクト２１１ａが形成されたハウジング２１１を有する。
【００１３】
ハウジング２１１内には、回転数の制御が可能な第１モータ（図示せず）に接続されたクロスフロー式の第１回転羽根２１２が配置されている。この場合、空気通路４２とハウジング２１１の内部空間とは、ハウジング２１１の上面開口２１３を介して連通している。これにより、第１吸気口１３ａから第１吹出口１２ａに通じるガスヒータ部２の送風系が形成される。そして、第１モータを駆動して第１回転羽根２１２を回転させると、筐体１１内に吸気口１３ａから室内の空気が吸い込まれ、バーナ本体２０ａの吸入口２０１に空気が供給されると共に、空気通路４２を空気が流れる。
【００１４】
この場合、吸入口２０１にガス噴射ノズル（図示せず）を介して燃料ガスを噴射すると、空気と燃料ガスとの混合気が炎口板２０３に供給されて燃焼する。尚、空燃比は、第１モータを制御して第１回転羽根２１２の回転数を制御することで調節される。混合気の燃焼によってガスバーナ２０から発生した燃焼ガスは、分流板４１の内側の燃焼ガス通路４４を通って第１送風ファン２１方向に吸引される。分流板４１の下流端に到達すると燃焼ガスと空気とが混合されて温度低下し、開口２１３を介してハウジング２１１内に流入する。そして、所定温度の混合気体が第１吹出口１２ａを介して室内に放出される。
【００１５】
一方、電気ヒータ部３は樹脂製のケース３１内に収納され、第２吸気口１３ｂから第２吹出口１２ｂに通じる送風通路３２を有する。この場合、電気ヒータ部３を小型化するため、送風通路３２は、器具１の上方から略水平方向に向かって屈曲させて形成されている。この送風通路３２の屈曲させた屈曲部３２ａには第２送風ファン３３が設けられている。第２送風ファン３３は、回転数の制御が可能な第２モータ（図示せず）と、この第２モータに接続され屈曲部３２ａに配置された略円筒形状のクロスフロー式第２回転羽根３３１とから構成されている。この屈曲部３２ａの下流側には、シーズヒータなどの電気ヒータ３４が設けられている。尚、第２モータの回転数は制御できても、できなくてもよい。
【００１６】
これにより、第２吸気口１３ｂから第２吹出口１２ｂに通じる電気ヒータ部３の送風系が形成される。そして、第２送風ファン３３を作動させると、第２吸気口１３ｂから送風通路３２内に空気が吸引され、この空気が電気ヒータ３４で加熱されて温風になり、第２吹出口１２ｂから室内に吹出される。この第２吹出口１２ｂから温風を吹出す場合、その温風で室内の床面が過熱される可能性がある。このため、第２送風ファン３３から第２吹出口１２ｂに通じる送風通路３２の下面３２１を上方に向かって傾斜して形成している。
【００１７】
ところで、第２送風ファン３３の下流側から第２吹出口１２ｂに通じる送風通路３２の風路面積をその全長に亘って一定にし、その途中に電気ヒータ３４を設けたのでは、この送風通路３２内で電気ヒータ３４自体が風路抵抗となる。このため、送風通路３２の下流端に、入口開口３５１と第２吹出口１２ｂに通じる出口開口３５２とを形成した金属製の拡大部３５を連結し、この拡大部３５を、電気ヒータ３４を収納する収納部としている。この場合、拡大部３５内での送風抵抗が拡大部３５両側の送風通路３２の送風抵抗と略一致するように空気の流れ方向に対して上下方向に風路面積を拡大している。
【００１８】
この場合、電気ヒータ３４によってこの拡大部３５を通過する空気を均等に加熱するため、拡大部３５の入口開口３５１に対向して、電気ヒータ３４は、送風通路３２を横切って上下方向に所定の間隔を置いて３段で配置した長尺のシーズヒータ３４１を、各シーズヒータ３４１相互が互い違いになるように空気の流れ方向に３列並べて構成している。各シーズヒータ３４１は、ホルダ（図示せず）を介して筐体１１で支持されている。
【００１９】
ここで、送風通路３２に屈曲部３２ａを形成し、第２送風ファン３３の回転羽根３３１を屈曲部３２ａに配置すると、屈曲部３２ａ外側を流れる空気の風速がこの屈曲部３２ａ内側を流れる空気の風速より速くなるので、屈曲部３２ａと電気ヒータ３４との間の送風通路３２内での風速分布が一定にならない。このため、拡大部３５の入口開口３５１に沿って各列の各シーズヒータ３４１を配置したのでは、風速の速い屈曲部３２ａ外側に位置するシーズヒータ３４１に局所的に多量の空気が衝突して送風通路３２の風路抵抗が増加する。この場合、吹出口１２ｂから吹出される温風の十分な風量を得るには、回転羽根３３１の回転数を上げる必要があり、運転音が大きくなるという不具合が生じる。
【００２０】
本実施の形態では、入口開口３５１と各シーズヒータ３４１との距離Ｄ１、Ｄ２、Ｄ３を、この入口開口３５１での風速が速くなる屈曲部３２ａ外側に向うに従い長くした（図２参照）。この場合、入口開口３５１と各シーズヒータ３４１との距離Ｄ１、Ｄ２、Ｄ３を変えることと、拡大部３５に空気が到達して空気の流れが拡がることで風速が低下することとが相俟って、電気ヒータ３４１に衝突する際の風速を各シーズヒータ３４１で均一に近づけることができる。これにより、いずれかのシーズヒータ３４１に局所的に多量の空気が衝突するのが防止されることで送風通路３２の風路抵抗が増加するのを防止できる。
【００２１】
尚、本実施の形態では、送風ファン３３の回転羽根３３１を送風通路３２の屈曲部３２ａに配置したが、これに限定されるものではなく、例えば、回転羽根３３１を屈曲部３２ａの上流側に配置してもよい。
【００２２】
【発明の効果】
以上説明したように、本発明の温風暖房器では、送風通路に拡大部を設け、この拡大部に電気ヒータを複数段で配置しても風路抵抗が増加するのを抑制することで、目標の風量を得るために送風ファンの回転数が増加することを防止して運転音が大きくなるのを防止できるという効果を奏する。
【図面の簡単な説明】
【図１】本発明の電気式温風暖房器の構成を説明する断面図
【図２】電気ヒータ部を拡大して説明する図
【符号の説明】
１  電気式温風暖房器
１１  筐体
１２ａ、１２ｂ  吹出口
１３ａ、１３ｂ  吸気口
３  電気ヒータ部
３２  送風通路
３２ａ  屈曲部
３３  送風ファン
３４  電気ヒータ
３５  拡大部
【図１】
2004177075.tif 000003
【図２】
2004177075.tif 000004